(57)【要約】      （修正有）【課題】散布機に肥料などを入れる作業が楽で簡単で効率よく出来、しかも、背中に簡単に担げて楽に立ち上がることが出来る担ぎ台を提供する。【解決手段】本担ぎ台は、４本のそれぞれの支柱４を軸として上下動する各々のフランジ６と荷台５とをＵボルトで連結一体化する構成にすることで、荷台の変形やきしみの状態がフランジに直接伝わらずに、荷台を抵抗なく楽にスムーズに上下動出来るようにして、荷台を両手で楽に地面近くまで下降させたり、背中に担ぐ高さまで軽く持ち上げが出来るようにする。又、荷台の両側に定荷重バネ１９を設けて定荷重バネの力を手助けとして荷台を更に軽く持ち上げ出来るようにする。又、荷台と一体の前側のフランジに、フックが下向きになっている揺動型フックレバーを取付け、そのフックレバーのフックを前側支柱の下部に設けた突起物１３に引っ掛けて両手で荷台を下降させた際に固定出来るようにし、その状態より更に荷台を下げた時に荷台が上昇出来るようにした。【選択図】図１
0003175324.tif 000002
【実用新案登録請求の範囲】
【請求項１】
下枠とＵ字形をした上枠とを各々の４隅に立てた支柱で最下部と最上部にそれぞれ位置をさせて固定し、下枠と上枠の間の支柱のそれぞれに、支柱を軸として自由に上下動出来るフランジを挿入し、そのフランジのツバ部の穴にＵボルトを通し、Ｕボルトのねじ側を荷台の４隅に取付けて荷台とフランジとを繋いで一体にして荷台を上下動出来るようにし、又荷台の両側にゼンマイ式定荷重バネを取付け、その引出し側を上枠の両側に取付けて、荷台の両側に設けたハンドルを両手で掴んで荷台を持ち上げる際に、定荷重バネの力を手助けとして荷台を軽く持ち上げ出来るようにしたことを特徴とする荷台の上下式担ぎ台。
【請求項２】
前側の２ヶのフランジ各々に、フックが下向きになっている揺動型フックレバーを取付け、そのフックレバーのフックを前側支柱の下部に設けた突起物に引っ掛けて荷台を下降させた際に固定出来るようにし、その状態より更に荷台を下げた時にフックレバーの外郭凹凸形状が突起物により揺動され、フックが突起物に引っ掛からないで荷台が上昇出来るようにし、又荷台の両側にフックが上向きの揺動型フックレバーを取付け、そのフックレバーのフックを後側支柱の上部に設けた突起物に引っ掛けて荷台を固定出来るようにし、その固定状態より更に荷台を持ち上げた時に、フックレバーに取付いている揺動型補助レバーがフックを塞ぎ、フックが突起物に引っ掛からないで荷台を下げることが出来るようにしたことを特徴とする請求項１の荷台の上下式担ぎ台。
【考案の詳細な説明】
【技術分野】
【０００１】  この考案は、農作業などで背負型散布機などを背中に担いで立ち上がる際に用いる担ぎ台の形状に関する。
【背景技術】
【０００２】  農作業などで背負散布機などを背中に担いで立ち上がることは大変なことで平地からでは担いで立ち上がることが困難なために、従来までは殆どの作業者は軽トラの荷台に散布機などを置いて、軽トラ荷台を担ぎ台の代わりにして担いでいる。しかし、軽トラ荷台に置いた散布機に、地面からでは肥料などを入れることが出来ず、作業者は一度軽トラ荷台に上がり、肥料などを入れてから再び地面に降りて散布機を担いでいる。この軽トラ荷台への地面からの昇り降りは大変で作業効率も悪く、併せて軽トラ荷台から降りる際に足をねんざする心配もあり大変な作業を行っている。しかも、軽トラ荷台の上で肥料を肩の高さまで持ち上げて散布機に入れねばならず、不安定な足場状態での重い肥料入れは大変な作業となっている。又、別の担ぎ方法として、補助具としての折りたたみ式担ぎ台があるが、この台の上に散布機を置いた状態では高過ぎて散布機の中に肥料などは入れられないので、散布機を一度地面に置いて肥料などを入れてから散布機を再びその台の上まで持上げて、そこに置いてから担いでおり、肥料などを一杯に入れた散布機は重く、持ち上げるには大変な労力を要し、回数が多くなるとそれは大変な作業となっている。
【考案の開示】
【考案が解決しようとする課題】
【０００３】  しかしながら以上の技術によれば、いずれも散布機に肥料などを入れるのに大変難儀をしている状態である。又、軽トラ荷台への昇降は特に高齢者は回数が多くなると大変で、足をくじく心配も大きくなる。そこでこの考案は、従来使用している軽トラ荷台や補助具の折りたたみ式担ぎ台を使わずに、散布機に肥料などを入れる作業が楽で簡単で効率よく出来、しかも、背中に簡単に担げて楽に立ち上がることが出来る担ぎ台を提供することを課題とする。
【課題を解決するための手段】
【０００４】  以上の課題を解決するために、本考案の荷台の上下式担ぎ台の第一考案は、４本の支柱を軸として上下動する各々のフランジと荷台とをＵボルトで連結一体化する構成にして、荷台が抵抗なくスムーズに上下動が出来るようにし、荷台を両手で楽に地面近くまで下降させたり、背中に担ぐ高さまで軽く持ち上げが出来るようにする。更に荷台の両側に定荷重バネを設けて定荷重バネの力を手助けとして荷台を軽く持ち上げ出来るようにする。又第二考案は、荷台と一体の前側のフランジに、フックが下向きになっている揺動型フックレバーを取付け、そのフックレバーのフックを前側支柱の下部に設けた突起物に引っ掛けて両手で荷台を下降させた際に固定出来るようにし、その状態より更に荷台を下げた時にフックレバーのフックが突起物に引っ掛からないで荷台が上昇出来るようにし、又荷台の両側にフックが上向きの揺動型フックレバーを取付けて荷台を持ち上げた際に、そのフックを上枠の両側に設けた突起物に引っ掛けて荷台を固定出来るようにし、その固定状態より更に荷台を持ち上げた時に、フックレバーのフックが突起物に引っ掛からないで荷台を下げることが出来るようにする。
【考案の効果】
【０００５】  第一考案によれば、背負散布機などを載せる荷台は、４本の支柱を軸として上下動する各々のフランジと荷台とをＵボルトで連結一体化する構成にしたので、荷台の変形やきしみの状態がフランジに直接伝わらず、荷台が抵抗なくスムーズに上下動が出来るようになり、荷台を両手で楽に地面近くまで下降させたり、背中に担ぐ高さまで軽く持ち上げが出来るようになった。更に荷台の両側に定荷重バネを取付け、定荷重バネの引出側を上枠に固定したので、定荷重バネの力を手助けとして荷台を軽く持ち上げ出来るようになった。第二考案によれば、荷台と一体の前側のフランジに、フックが下向きになっている揺動型フックレバーを取付け、そのフックレバーのフックを前側支柱の下部に設けた突起物に引っ掛けて両手で荷台を下降させた際に固定出来るようにし、その状態より更に荷台を下げた時にフックレバーのフックが突起物に引っ掛からないで荷台が上昇出来るようにしたので、地面近くの低い位置に両手で下げた荷台に置いた散布機に、地面から軽トラ荷台などに置いた肥料を横滑りで入れることが出来るので、肥料を肩まで担ぐことなく楽に入れられるようになった。又荷台の両側にフックが上向きの揺動型フックレバーを取付け、荷台を持ち上げた際に、そのフックを上枠の両側に設けた突起物に引っ掛けて荷台を固定出来るようにし、その固定状態より更に荷台を持ち上げた時に、フックレバーのフックが突起物に引っ掛からないで荷台を下げることが出来るようにしたことから、荷台の両脇に付けたハンドルを両手で掴み、散布機などが載ったままの荷台を担ぐ位置まで両手で軽く持ち上げて固定出来るので、この状態で市販の椅子などに腰掛けて、散布機などを背中に簡単に担げて楽に立ち上がれるようになった。この結果、従来作業で行っていた軽トラへの昇降が不要となり、作業が安全で楽に出来るようになった。併せて、フックを突起物に引っ掛けて固定したそれぞれの位置は、作業の流れの中で自動的に解除が出来るので、担ぎ作業全体の効率が著しく向上した。
【考案を実施するための最良の形態】
【０００６】  この考案の実施形態を図面に基づき説明する。
図１は本考案の実施形態を表した斜視図で、下枠１の４隅の各々に支柱４を立て、その最上部に上枠２のＵ字形３を後側にして一体化取付けをし、その下枠１と上枠２の間の支柱４にフランジ６を各々挿入し、そのフランジ６に荷台５の４隅を取付けて荷台５が自由に上下動出来るようにする。荷台５の両側に両手で掴むハンドル２１及び定荷重バネ１９を取付け、定荷重バネ１９の引出し側を上枠２の両側２０に取付る。荷台５の両側の支点１５にフックレバー１４を取付け、フックレバー１４の支点１７に補助レバー１６を取付け、荷台５を持ち上げた際にフックレバー１４が上枠２に設けた突起物１８に引っ掛かり固定出来るようになっており、更に荷台５を持ち上げた時には補助レバー１６がフックレバー１４のフックを塞ぎ、突起物１８に引っ掛からずに荷台５を下げることが出来る。前側のフランジ６の支点１１にフックレバー１０を取付け、荷台５を下げた際に前側支柱４に設けた突起物１３にフックレバー１０のフックを引っ掛けて荷台５を固定出来るようにし、更に荷台５を下げた時に、フックレバー１０の凹凸形状１２によりフックレバー１０が支点１１を基点にして揺動し、突起物１３から外れて荷台５が上昇出来る。下枠１の前側にキャスター２２を取付け、本担ぎ台を前側に倒しての移動がし易くなるようにしてある。図２と図３は本考案の荷台とフランジの連結の実施形態を表した図であり、支柱４に挿入したフランジ６の穴部７にＵボルト８を通し、Ｕボルト８のネジ側とナット９で荷台５とフランジ６が連結取付けされている。図４は荷台５に取り付けた上フックレバー１４のフックが上枠２に設けた突起物１８に引っ掛かって、荷台５が固定された状態の図である。図５は荷台５に取付けた下フックレバー１０のフックが前側支柱４に設けた突起物１３に引っ掛かり、荷台５が固定された状態の図であり、定荷重バネ１９は多く引き出された状態の図である。図６は図４の状態で、作業者２３が椅子２４に腰掛けて荷台５にある散布機２５を担いだ時の図である。
【実施形態の効果】
【０００７】  この実施形態によれば、本担ぎ台は、両手で地面近くの低い位置に荷台を下げることが出来るので、そこに置いた散布機に軽トラ荷台などに置いた肥料を横滑りの形で地面に立ちながら楽に入れることが出来るので、肥料を肩まで担いで散布機に入れる必要が無くなった。又荷台の両側に定荷重バネを取付け、定荷重バネの引出側を上枠に固定したので、定荷重バネの力を手助けとして荷台を軽く持ち上げ出来るようになった。併せて、散布機などが載ったままの荷台を、担ぐ位置まで荷台の両脇に付けたハンドルを両手で持ち上げて固定出来るので、この状態で市販の椅子などに腰掛けて、散布機などを背中に簡単に担げて楽に立ち上がれるようになった。この結果、従来作業で行っていた軽トラへの昇降が不要となり、作業が安全で楽になったし、しかも、フックを突起物に引っ掛けて固定した位置の解除は、担ぎ作業の流れの中で自動的に解除が出来るので、散布機への肥料入れや担ぎ作業が大変楽になり、全体の作業効率も著しく向上した。
【図面の簡単な説明】
【０００８】
【図１】本考案の実施形態を表した斜視図である。
【０００９】［符号の説明］
１  下枠        ２  上枠        ３  上枠Ｕ字部        ４  支柱
５  荷台        ６  フランジ  １０  下フックレバー  １１  支点
１２  凹凸部      １３  突起物  １４  上フックレバー  １５  支点
１６  補助レバー  １７  支点    １８  突起物        １９  定荷重バネ
２０  取付部      ２１  ハンドル  ２２  キャスター
【図２】本考案の荷台とフランジの連結の実施形態を表した平面図である。
【００１０】［符号の説明］
４  支柱    ５  荷台    ６  フランジ    ７  穴部    ８  Ｕボルト
【図３】本考案の［図２］のＡ−Ａ断面図である。
【００１１】［符号の説明］
４  支柱        ５  荷台        ６  フランジ        ７  穴部
８  Ｕボルト    ９  ナット
【図４】本考案の実施形態を表した側面図である。
【００１２】［符号の説明］
２  上枠      ５  荷台      １４  上フックレバー      １８  突起物
【図５】本考案の実施形態を表した側面図である。
【００１３】［符号の説明］
４  支柱    ５  荷台    １０  下フックレバー    １３  突起物
１９  定荷重バネ
【図６】本考案の荷台の上下式担ぎ台を使い、背負散布機を担いだ状態図である。
【００１４】［符号の説明］
５  荷台      ２３  作業者      ２４  椅子      ２５  背負散布機
【図１】
0003175324.tif 000003
【図２】
0003175324.tif 000004
【図３】
0003175324.tif 000005
【図４】
0003175324.tif 000006
【図５】
0003175324.tif 000007
【図６】
0003175324.tif 000008